(57)【要約】【課題】貝類を吸引方式によって採取した際に、同時に吸引された石と貝類とを効率よく分離することができる貝類の選別装置を提供する。【解決手段】ポンプ２と、ポンプ２の吸入口２ａに接続された海水吸引用ホース７ａと、ポンプ２の排出口２ｂに接続された海水吐出用ホース７ｂと、海水吐出用ホース７ｂの先端に接続されたエジェクター３と、エジェクター３に接続された貝類吸引用ホース７ｃ及び貝類吐出用ホース７ｄと、貝類吸引用ホース７ｃの先端に接続された遠心分離容器４と、貝類吐出用ホース７ｄの先端に接続された回収ネット８とによって、貝類の選別装置１を構成した。【選択図】図１
2013099257.tif 000002
【特許請求の範囲】
【請求項１】
ポンプと、ポンプの吸入口に接続された海水吸引用ホースと、ポンプの排出口に接続された海水吐出用ホースと、海水吐出用ホースの先端に接続されたエジェクターと、エジェクターに接続された貝類吸引用ホース及び貝類吐出用ホースと、貝類吸引用ホースの先端に接続された遠心分離容器と、貝類吐出用ホースの先端に接続された回収ネットと、によって構成され、
前記エジェクターは、への字状に湾曲或いは屈曲した形状のベンド管と、流入口側に対して流出口側の口径が絞られた絞り管とによって構成され、
前記ベンド管は、ベンド角が、４０〜６０°の範囲内において設定され、内径及び口径が、ポンプの排出口の口径の１〜２倍の範囲内において設定され、
前記絞り管は、流出口が、ベンド管の内壁面において開口し、ベンド管内部と連通するようにベンド管に対して接続され、流出口の口径が、ポンプの排出口の口径の４０〜７０％の範囲内において設定され、
前記絞り管は、その中心軸線が、ベンド管の後半直状部の中心軸線と一致する向きで、又は、ベンド管の後半直状部の中心軸線と平行になるように、又は、ベンド管の後半直状部の中心軸線に対し、絞り管の中心軸線の傾斜角度が５°以内となる向きで、ベンド管に対して接続され、
前記遠心分離容器は、所定の幅で縦方向に延在する縦長の貫通溝が形成された円筒状或いは逆円錐台形状の容器本体と、前記貝類吸引用ホースの先端が装着された吸入パイプ及び前記貫通溝を介して前記容器本体内に向かって開口する吸引口を有する吸引部と、前記容器本体内において旋回流を生成させることができるように構成された旋回流生成部とによって構成され、
前記遠心分離容器を海水中に浸けた状態で、前記ポンプを駆動させると、前記エジェクターの作用によって、前記遠心分離容器から前記貝類吸引用ホース、前記ベンド管、及び、前記貝類吐出用ホースを経て、前記回収ネットへと向かう海水の循環経路が形成されるように構成されていることを特徴とする貝類の選別装置。
【請求項２】
前記容器本体は、上半部が円筒状に形成され、下半部が逆円錐台形状に形成され、前記貫通溝が、容器本体の上半部に形成されていることを特徴とする、請求項１に記載の貝類の選別装置。
【請求項３】
前記吸引部は、吸引口が前記容器本体の貫通溝と重なる範囲内で上下方向へ移動可能なように構成されていることを特徴とする、請求項１に記載の貝類の選別装置。
【請求項４】
前記容器本体内の上半部中央位置に、内側円筒部が配置されていることを特徴とする、請求項１に記載の貝類の選別装置。
【請求項５】
前記容器本体の底部付近の側壁に、蓋板によって開閉できる石排出用の窓部が形成されていることを特徴とする、請求項１に記載の貝類の選別装置。
【請求項６】
前記旋回流生成部が、ドライブシャフトと、海水を撹拌して旋回流を生じさせる羽根と、インバーターを有するモータとによって構成されていることを特徴とする、請求項１に記載の貝類の選別装置。
【請求項７】
前記旋回流生成部が、前記羽根の周囲を覆って、貝類或いは石の巻き込みを防止するメッシュガードを有していることを特徴とする、請求項６に記載の貝類の選別装置。
【発明の詳細な説明】
【技術分野】
【０００１】
本発明は、吸引方式によって海底から採取した貝類を、同時に吸引された石と分離するために用いられる貝類の選別装置に関する。
【背景技術】
【０００２】
干潟における水産資源（主としてアサリ等の貝類）を保護し、漁場環境の保全、改善を図るための方法の一つとして、天然稚貝を一時的に採取して、効率良く選別、移動させ、適切な環境下において生育させる、という方法がある。
【０００３】
この方法を実施するためには、まず、採取地において天然稚貝を効率よく採取する必要があり、そのためには、吸引方式の貝類採取装置（船上に設置したポンプを駆動させて、海底面付近に保持させたパイプから、貝類を、その周辺の底質ごと吸い込んで採取する装置）（特開２００４−２０８５９１号公報等）を利用することが有効であると考えられる。
【先行技術文献】
【特許文献】
【０００４】
【特許文献１】特開２００４−２０８５９１号公報
【発明の概要】
【発明が解決しようとする課題】
【０００５】
吸引方式の貝類採取装置を用いて貝類を採取した場合、同時に吸引された底質と貝類とを分離（選別）する作業が必要になるところ、この選別作業においては、底質に含まれている石と貝類とを分離することが難しいという問題がある。より具体的には、底質のうち、砂については、適切な目の網或いは篩を通すことによって、採取された稚貝と簡単に分離することができるが、稚貝と同程度の大きさの石（小石）については、網や篩によっては選別することができない。
【０００６】
このため、小石については手作業によって選別するほかなく、非常に多くの時間と労力が必要となる。特に、生息密度が低い場所で採取作業を行った場合、沢山の小石の中から僅かな量の稚貝を選別する必要が生じる可能性があり、このような場合、選別作業を手作業で行うことは極めて困難である。
【０００７】
本発明は、上記のような従来技術における課題を解決しようとするものであって、貝類を吸引方式によって採取した際に、同時に吸引された石と貝類とを効率よく分離することができる貝類の選別装置を提供することを目的とする。
【課題を解決するための手段】
【０００８】
本発明に係る貝類の選別装置は、ポンプと、ポンプの吸入口に接続された海水吸引用ホースと、ポンプの排出口に接続された海水吐出用ホースと、海水吐出用ホースの先端に接続されたエジェクターと、エジェクターに接続された貝類吸引用ホース及び貝類吐出用ホースと、貝類吸引用ホースの先端に接続された遠心分離容器と、貝類吐出用ホースの先端に接続された回収ネットと、によって構成され、エジェクターは、への字状に湾曲或いは屈曲した形状のベンド管と、流入口側に対して流出口側の口径が絞られた絞り管とによって構成され、ベンド管は、ベンド角が、４０〜６０°の範囲内において設定され、内径及び口径が、ポンプの排出口の口径の１〜２倍の範囲内において設定され、絞り管は、流出口が、ベンド管の内壁面において開口し、ベンド管内部と連通するようにベンド管に対して接続され、流出口の口径が、ポンプの排出口の口径の４０〜７０％の範囲内において設定され、絞り管は、その中心軸線が、ベンド管の後半直状部の中心軸線と一致する向きで、又は、ベンド管の後半直状部の中心軸線と平行になるように、又は、ベンド管の後半直状部の中心軸線に対し、絞り管の中心軸線の傾斜角度が５°以内となる向きで、ベンド管に対して接続され、遠心分離容器は、所定の幅で縦方向に延在する縦長の貫通溝が形成された円筒状或いは逆円錐台形状の容器本体と、貝類吸引用ホースの先端が装着された吸入パイプ及び貫通溝を介して容器本体内に向かって開口する吸引口を有する吸引部と、容器本体内において旋回流を生成させることができるように構成された旋回流生成部とによって構成され、遠心分離容器を海水中に浸けた状態で、ポンプを駆動させると、エジェクターの作用によって、遠心分離容器から貝類吸引用ホース、ベンド管、及び、貝類吐出用ホースを経て、回収ネットへと向かう海水の循環経路が形成されるように構成されていることを特徴としている。
【０００９】
尚、容器本体は、上半部が円筒状に形成され、下半部が逆円錐台形状に形成され、貫通溝が、容器本体の上半部に形成されていることが好ましく、また、吸引部は、吸引口が容器本体の貫通溝と重なる範囲内で上下方向へ移動可能なように構成されていることが好ましい。更に、容器本体内の上半部中央位置に、内側円筒部が配置されていることが好ましく、また、容器本体の底部付近の側壁に、蓋板によって開閉できる石排出用の窓部が形成されていることが好ましい。
【００１０】
また、旋回流生成部は、ドライブシャフトと、海水を撹拌して旋回流を生じさせる羽根と、インバーターを有するモータとによって構成されていることが好ましく、更に、旋回流生成部は、羽根の周囲を覆って、貝類或いは石の巻き込みを防止するメッシュガードを有していることが好ましい。
【発明の効果】
【００１１】
本発明に係る貝類の選別装置は、吸引方式の貝類採取装置を用いて採取された貝類を、傷つけることなく、非常に効率よく、底質（同時に吸引された底質、特に小石）と分離（選別）することができ、選別作業の省力化を図ることができる。また、貝類の採取作業を行う作業船上において、採取直後に選別作業を行うことも可能であり、作業効率を著しく向上させることができる。
【図面の簡単な説明】
【００１２】
【図１】図１は、本発明に係る選別装置１の構成図である。
【図２】図２は、図１に示したエジェクター３の断面拡大図である。
【図３】図３は、図１に示した遠心分離容器４の斜視図である。
【図４】図４は、図１に示した遠心分離容器４の断面斜視図である。
【図５】図５は、図１に示した遠心分離容器４の部分拡大図である。
【発明を実施するための形態】
【００１３】
以下、本発明を実施するための形態について説明する。図１は、本発明に係る選別装置１の構成図であり、図示されているように、この選別装置１は、ポンプ２、エジェクター３、遠心分離容器４、ストレーナ６、ホース７（海水吸引用ホース７ａ、海水吐出用ホース７ｂ、貝類吸引用ホース７ｃ、及び、貝類吐出用ホース７ｄ）、回収ネット８、及び、水槽９とによって構成されている。
【００１４】
本実施形態においては、ポンプ２として、ガソリンエンジンによって駆動するエンジンポンプ（最大吐出量：５４０Ｌ／ｍｉｎ以上、最大定格出力：２．１ｋｗ以上）が使用される。ポンプ２の吸入口２ａには、海水吸引用ホース７ａが接続され、その先端にはストレーナ６が取り付けられている。また、ポンプ２の排出口２ｂ（口径８０ｍｍ）には、海水吐出用ホース７ｂが接続され、その先端は、エジェクター３に接続されている。エジェクター３には、貝類吸引用ホース７ｃ、及び、貝類吐出用ホース７ｄが接続され、貝類吸引用ホース７ｃの先端は遠心分離容器４に、貝類吐出用ホース７ｄの先端は回収ネット８に、それぞれ接続されている。
【００１５】
エジェクター３は、図２に示すように、「へ」の字状に湾曲（或いは屈曲）した形状のベンド管１１と、流入口側に対して流出口側の口径が絞られた絞り管１２とによって構成されている。これらのうち、ベンド管１１は、吸入口１１ａ側の前半直状部１１ｂと、吐出口１１ｃ側の後半直状部１１ｄと、これらの間の湾曲部１１ｅとによって構成され、ベンド角（前半直状部１１ｂの中心軸線ＣＬ１に対する後半直状部１１ｄの中心軸線ＣＬ２の傾斜角度）は４５°に設定されている。
【００１６】
絞り管１２は、流入口１２ａ側の前半部１２ｂと、流出口１２ｃ側の後半部１２ｄと、これらの間の絞り部１２ｅとによって構成され、流出口１２ｃが、ベンド管１１の内壁面において開口し、ベンド管１１内部と連通するように、かつ、中心軸線ＣＬ３が、ベンド管１１の後半直状部１１ｄの中心軸線ＣＬ２と一致する向きで、ベンド管１１に対して接続されている。
【００１７】
ベンド管１１の吸入口１１ａには、図１に示すように貝類吸引用ホース７ｃが接続され、吐出口１１ｃには、貝類吐出用ホース７ｄ（図１参照）が接続される。また、絞り管１２の流入口１２ａには、海水吐出用ホース７ｂ（図１参照）が接続される。
【００１８】
尚、本実施形態においては、ベンド管１１の吸入口１１ａ、及び、吐出口１１ｃの口径は１００ｍｍ（ポンプ２の排出口２ｂの口径の１．２５倍）に設定されており、前半直状部１１ｂ、後半直状部１１ｄ、及び、湾曲部１１ｅの内径も、１００ｍｍに設定されている。また、絞り管１２の流入口１２ａの口径は８０ｍｍ、流出口１２ｃの口径は４０ｍｍに設定されている。
【００１９】
但し、これらの寸法には限定されず、ベンド管１１の口径及び内径については、ポンプ２の排出口２ｂの口径の１〜２倍の範囲内において、また、絞り管１２の流出口１２ｃの口径については、ポンプ２の排出口２ｂの口径の４０〜７０％の範囲内において、適宜設定を変更することができる。また、ベンド管１１におけるベンド角については、４０〜６０°の範囲内において、適宜設定を変更することができる。更に、絞り管１２については、必ずしも、中心軸線ＣＬ３が、ベンド管１１の後半直状部１１ｄの中心軸線ＣＬ２と一致していなくともよく、これらの中心軸線ＣＬ２，ＣＬ３が平行となるように、若しくは、ベンド管１１の後半直状部１１ｄの中心軸線ＣＬ２に対し、絞り管１２の中心軸線ＣＬ３の傾斜角度が５°以内となるように、絞り管１２をベンド管１１に対して接続してもよい。
【００２０】
遠心分離容器４は、図３及び図４に示すように、容器本体４１と、内側円筒部４２と、吸引部２０と、旋回流生成部４３とによって構成されている。これらのうち、容器本体４１は、上半部が円筒状に形成され、下半部は逆円錐台形状（下方の底部へ向かって半径が次第に小さくなるコニカル状）に形成されている。尚、容器本体４１の上半部には、図５に示すように、所定の幅で縦方向に延在する（容器本体４１の上半部の上層から下層まで達する）縦長の貫通溝４１ａが形成されている。また、容器本体４１の底部付近のコニカル状の側壁には、蓋板によって開閉できる窓部（貫通穴）（図示せず）が形成されている。
【００２１】
内側円筒部４２は、容器本体４１よりも直径が小さく（容器本体４１の直径の１／２〜１／３程度）、全体が逆円錐台形状に形成され、容器本体４１内空間の上半部中央位置において、容器本体４１と同軸的に配置され、図示しない支持部材によって保持固定されている。
【００２２】
吸引部２０は、吸入パイプ２１と、中央に貫通孔２２ａ（吸引口）を有する縦長板状のスライド板２２とによって構成されている。この吸引部２０の吸入パイプ２１の上端（ホース取付口２１ａ）には、図１に示すように、貝類吸引用ホース７ｃの先端が装着される。また、この吸引部２０は、スライド板２２が容器本体４１の貫通溝４１ａを閉塞するとともに、貫通孔２２ａが貫通溝４１ａを介して容器本体４１内に向かって開口する位置において、容器本体４１の外周面側に取り付けられており、かつ、容器本体４１の外周面に沿って、所定の範囲内（貫通孔２２ａが、容器本体４１の貫通溝４１ａと重なる範囲内）で上下方向へ摺動可能なように構成されている。
【００２３】
旋回流生成部４３は、容器本体４１内空間の中央位置において、容器本体４１と同軸的に配置されたドライブシャフト４３ａと、その下端（容器本体４１の底部付近）に取り付けられ、容器内の海水を撹拌して旋回流を生じさせる羽根４３ｂと、羽根４３ｂの周囲を覆って、貝類或いは石の巻き込みを防止するメッシュガード４３ｃと、ドライブシャフト４３ａに回転駆動力を与えるモータ４３ｄとによって構成されている。
【００２４】
ここで、本実施形態の選別装置１の使用方法と作用について説明する。図１に示すように、まず水槽９内に、遠心分離容器４、エジェクター３、ストレーナ６、ホース７、回収ネット８を配置して、水槽９内に海水を貯める。
【００２５】
次に、この状態でポンプ２を駆動させる。そうすると、ストレーナ６から水槽９内の海水が連続的に吸引され、この吸引された海水は、海水吸引用ホース７ａを通って吸入口２ａからポンプ２内に流入するとともに、排出口２ｂから排出され、海水吐出用ホース７ｂを通ってエジェクター３の絞り管１２へと流下する。絞り管１２は、流入口１２ａ側に対して流出口１２ｃ側の口径が絞られているため、その分だけ流速が増加し、ジェット噴流となって流出口１２ｃから流出する。
【００２６】
絞り管１２の流出口１２ｃから流出した海水のジェット噴流は、ベンド管１１の後半直状部１１ｄ内に流入する。このとき、ベンド管１１の内径は、ポンプ２の排出口２ｂの口径の１．２５倍、絞り管１２の流出口１２ｃの口径の２．５倍の大きさに設定されているため、ベンド管１１の後半直状部１１ｄ内において負圧が生じることになる。この負圧によって、ベンド管１１の吸入口１１ａからベンド管１１内へ向かって吸引力が生じ、この吸引力によって、貝類吸引用ホース７ｃの先端に接続されている吸引部２０の吸入パイプ２１から、遠心分離容器４の容器本体４１内の海水が連続的に吸引され、ベンド管１１内に流入する。
【００２７】
絞り管１２の流出口１２ｃ、及び、ベンド管１１の吸入口１１ａからベンド管１１内に流入した海水は、吐出口１１ｃから排出され、貝類吐出用ホース７ｄを通って回収ネット８へと流下し、水槽９内へ放出される。このように、ポンプ２を駆動させると、エジェクター３の作用によって、遠心分離容器４から貝類吸引用ホース７ｃ、ベンド管１１、及び、貝類吐出用ホース７ｄを経て、回収ネット８へと向かう海水の循環経路（選別貝類の移送経路）が、水槽９内において形成される。
【００２８】
一方、遠心分離容器４において、モータ４３ｄを駆動させることによりドライブシャフト４３ａを回転させると、容器本体４１の底部の上方において羽根４３ｂが回転して、容器本体４１の底部付近の海水が撹拌され、容器本体４１内において旋回流が生じる。この旋回流が生じている遠心分離容器４内に、吸引方式の貝類採取装置による吸引採取物（貝類と石の混合物）を投入すると、貝類と石とが分離され、吸引採取物から貝類のみを取り出すことができる。
【００２９】
この点について具体的に説明すると、旋回流が生じている容器本体４１内に石を投じた場合、旋回流の流速が十分に大きければ（海水中において石等に作用する重力よりも大きい遠心力が作用するほど旋回流の流速が大きい場合には）、石は、容器本体４１の内壁面に沿って旋回することになるが、旋回流の流速が小さい場合（旋回によって作用する遠心力が、作用する重力よりも小さい場合）には、石は容器本体４１の底部まで沈降し、底部に沿って旋回し、或いは、流速が極めて小さい場合には、容器本体４１の底部上において静止状態となる。
【００３０】
これに対し貝類は、比重が海水よりも大きいものの、その比重差は僅かであるため、旋回流が生じている容器本体４１内に投じると、その旋回流の流速が小さい場合であっても、底部まで沈降せず、容器本体４１の上半部（下半部よりも半径が大きい）の内壁面に沿って旋回することになる。
【００３１】
従って、容器本体４１内において生じる旋回流の流速を、モータ４３ｄに内蔵或いは付設されているインバーターにより、石が沈降する程度に調節することにより、容器本体４１内に投入した吸引採取物のうち、貝類のみを、容器本体４１の上半部の内壁面に沿って旋回させることができる。
【００３２】
上述の通り、ポンプ２を駆動させると、エジェクター３の作用によって、遠心分離容器４（容器本体４１、及び、吸引部２０）から貝類吸引用ホース７ｃ、ベンド管１１、及び、貝類吐出用ホース７ｄを経て、回収ネット８へと向かう海水の循環経路が、水槽９内において形成されることになり、容器本体４１の上半部の内壁面に沿って旋回している貝類は、循環する海水とともに容器本体４１の貫通溝４１ａから吸引部２０の吸入パイプ２１内へ流入し、貝類吸引用ホース７ｃ、ベンド管１１、及び、貝類吐出用ホース７ｄを経て、回収ネット８へと移送される。
【００３３】
尚、本実施形態においては、容器本体４１に形成されている貫通溝４１ａが、図４及び図５に示すように、容器本体４１の上半部の上層から下層まで達しているほか、スライド板２２の貫通孔２２ａが貫通溝４１ａと重なる範囲内で、吸引部２０が上下方向へ移動可能なように構成されているため、容器本体４１内において旋回する貝類が、容器本体４１の上半部内における上層、中層、下層のいずれに分布している場合であっても、吸引部２０を上下に適宜スライドさせて、貫通孔２２ａの高さ位置を変更することにより、吸入パイプ２１内へ円滑に流入させることができる。
【００３４】
一方、石は、選別作業の進行に伴って、容器本体４１の底部付近に次第に累積していくことになる。容器本体４１の底部付近に、ある程度の石が溜まったら、容器本体４１の底部付近の側壁に形成されている窓部（通常は、蓋板により閉じられている）（図示せず）を開放し、モータ４３ｄを駆動させて羽根４３ｂを回転させる。これにより、石を容器本体４１の外に放出することができる。
【００３５】
尚、本実施形態においては、この貝類の選別装置１を、陸上で使用することを前提として、遠心分離容器４、エジェクター３、ストレーナ６、ホース７、及び、回収ネット８を、海水を貯めた水槽９内に設置しているが、これらを直接海中に設置したり、或いは、舷側から吊して海水中に浸けて使用することもできる。これらの場合には、水槽９を省略することができる。
【００３６】
また、本実施形態においては、旋回流生成部４３が、ドライブシャフト４３ａ、羽根４３ｂ、メッシュガード４３ｃ、及び、モータ４３ｄによって構成されているが、容器本体４１の外側から供給される海水を、容器本体４１の内壁面の接線方向へ向かって噴出させるノズル、又は、容器本体４１の内壁面に沿って勢いよく流入させる手段を、容器本体４１の側壁、或いは、容器本体４１の内壁面付近に配置して、容器本体４１内において旋回流が生成されるように構成してもよい。
【００３７】
また、本実施形態においては、容器本体４１は、上半部が円筒状、下半部が逆円錐台形状となっているが、全体を円筒状に形成してもよく、また、全体を逆円錐台形状に形成してもよい。
【産業上の利用可能性】
【００３８】
本発明に係る貝類の選別装置は、調査用器材の一部として利用することができる。例えば、アサリの稚貝の斃死を防ぐ目的で、稚貝の一部を一時的に採取して、効率良く選別、移動させ、適切な環境下においてアサリを生育させるような場合に利用することができ、漁場環境の保全、修復を図ることができる。また、漁業（アサリ漁等）において、作業の省力化が必要となる場合には、漁獲用器材の一部として利用することもできる。
【符号の説明】
【００３９】
１：選別装置、
２：ポンプ、
２ａ：吸入口、
２ｂ：排出口、
３：エジェクター、
４：遠心分離容器、
６：ストレーナ、
７：ホース、
７ａ：海水吸引用ホース、
７ｂ：海水吐出用ホース、
７ｃ：貝類吸引用ホース、
７ｄ：貝類吐出用ホース、
８：回収ネット、
９：水槽、
１１：ベンド管、
１１ａ：吸入口、
１１ｂ：前半直状部、
１１ｃ：吐出口、
１１ｄ：後半直状部、
１１ｅ：湾曲部、
１２：絞り管、
１２ａ：流入口、
１２ｂ：前半部、
１２ｃ：流出口、
１２ｄ：後半部、
１２ｅ：絞り部、
２０：吸引部、
２１：吸入パイプ、
２１ａ：ホース取付口、
２２：スライド板、
２２ａ：貫通孔、
４１：容器本体、
４１ａ：貫通溝、
４２：内側円筒部、
４３：旋回流生成部、
４３ａ：ドライブシャフト、
４３ｂ：羽根、
４３ｃ：メッシュガード、
４３ｄ：モータ、
ＣＬ１，ＣＬ２，ＣＬ３：中心軸線
【図１】
2013099257.tif 000003
【図２】
2013099257.tif 000004
【図３】
2013099257.tif 000005
【図４】
2013099257.tif 000006
【図５】
2013099257.tif 000007